(57)【要約】【課題】  横臥位の状態で排泄物が一方側へ偏っても確実に排泄物を排出できるようにし、悪臭や雑菌の発生を防止する。【解決手段】  人体の股部に沿って装着され陰部と肛門とを覆って人体から排泄される排泄物Ｅを受ける凹部２を有した受け体１を有し、受け体１にその凹部２に連通し凹部２に受けられた排泄物Ｅを排出するための排出口１０を形成し、排出口１０に排出管２０を接続した排泄物自動処理装置Ｓにおいて、排出口１０を、受け体１の陰部側の前端部５と肛門側の後端部６とを結ぶ中心線７を境にした一方側及び他方側に、夫々１若しくは複数設けた。【選択図】図１
2010012070.tif 000002
【特許請求の範囲】
【請求項１】
人体の股部に沿って装着され陰部と肛門とを覆って人体から排泄される排泄物を受ける凹部を有した受け体を有し、該受け体にその凹部に連通し該凹部に受けられた排泄物を排出するための排出口を形成し、該排出口に排出管を接続した排泄物自動処理装置において、
上記排出口を、上記受け体の陰部側の前端部と肛門側の後端部とを結ぶ中心線を境にした一方側及び他方側に、夫々１若しくは複数設けたことを特徴とする排泄物自動処理装置。
【請求項２】
上記一方側の排出口と他方側の排出口とを、上記中心線に対して対称位置に設けたことを特徴とする請求項１記載の排泄物自動処理装置。
【請求項３】
上記受け体を、人体の股部の前側を覆う前側部と、後側を覆う後側部とを備えて略Ｕ字状に形成し、上記凹部を、上記前側部から上記後側部に亘って形成し、上記一方側及び他方側の少なくとも一対の排出口を、人体が仰臥したとき、つま先側に向けて開口するように上記受け体の後端部に設けたことを特徴とする請求項２記載の排泄物自動処理装置。
【請求項４】
上記排出口の前位に、上記凹部の底面及び側面に連続する面を有し排泄物を集約して停留させるバッファ部を設けたことを特徴とする請求項３記載の排泄物自動処理装置。
【請求項５】
上記受け体に人体が横臥したとき該受け体の一方側及び他方側の上下位置を検知するセンサを設けるとともに、上記複数の排出管に夫々開閉バルブを設け、上記センサの検知に基づいて下側に位置した上記受け体の一方側または他方側の排出口に接続される排出管の開閉バルブを開にする制御部を設けたことを特徴とする請求項１乃至４何れかに記載の排泄物自動処理装置。
【請求項６】
上記受け体に、該受け体の排出口へ向けて流体を噴射して排泄物を排出口へ導く噴射ガイドノズルを設けたことを特徴とする請求項１乃至５何れかに記載の排泄物自動処理装置。
【発明の詳細な説明】
【技術分野】
【０００１】
本発明は、病人や老人など自分で排泄物を処理することが困難な者が、ベッドや車椅子などで用いることのできる排泄物自動処理装置に関する。
【背景技術】
【０００２】
従来、この種の排泄物自動処理装置としては、例えば、特許文献１（特許第３７４９０９７号公報）に掲載されたものが知られている。図５に示すように、この排泄物自動処理装置Ｓａは、人体の股部に沿って装着され陰部と肛門とを覆って人体から排泄される排泄物Ｅを受ける凹部１０１を有した受け体１００を有し、この受け体１００にその凹部１０１に連通し凹部１０１に受けられた排泄物Ｅを排出するための排出口１０２を形成し、この排出口１０２に排出管１０３を接続している。排出口１０２は、受け体１００の陰部側の前端部１０４と肛門側の後端部１０５とを結ぶ中心線１０６上に一つ形成されており、排出管１０３は、排泄物Ｅを貯留する図示外のタンクに接続されている。そして、図示外の吸引ポンプの吸引により、凹部１０１内の排泄物Ｅを、排出管１０３を通してタンクに収容するようにしている。
【０００３】
【特許文献１】特許第３７４９０９７号公報
【発明の開示】
【発明が解決しようとする課題】
【０００４】
しかしながら、この従来の排泄物自動処理装置Ｓａにおいては、図５（Ｂ）に示すように、横臥位の状態では、凹部１０１の中心線１０６に平行な側面１０７のうちどちらか一方の側面１０７に排泄物Ｅが移動して、受け体１００の中心線１０６上から一方側へ偏ってしまい、そのため、排泄物Ｅの吸引時に、排泄物Ｅを吸引しにくくなり、排泄物Ｅの排出が十分に行なわれず、凹部１０１内に排泄物Ｅが残留することがあるという問題があった。排泄物Ｅが残留すると、悪臭や雑菌が発生し、衛生上の問題が生じる。
【０００５】
本発明は、このような問題点に鑑みてなされたもので、横臥位の状態で排泄物が一方側へ偏っても確実に排泄物を排出できるようにし、悪臭や雑菌の発生を防止する排泄物自動処理装置を提供することを目的とする。
【課題を解決するための手段】
【０００６】
このような目的を達成するため、本発明の排泄物自動処理装置は、人体の股部に沿って装着され陰部と肛門とを覆って人体から排泄される排泄物を受ける凹部を有した受け体を有し、該受け体にその凹部に連通し該凹部に受けられた排泄物を排出するための排出口を形成し、該排出口に排出管を接続した排泄物自動処理装置において、上記排出口を、上記受け体の陰部側の前端部と肛門側の後端部とを結ぶ中心線を境にした一方側及び他方側に、夫々１若しくは複数設けた構成としている。
【０００７】
これにより、排泄物を受け体の凹部から排出するときは、例えば、吸引ポンプの吸引等により行なう。仰臥位のときは、排泄物は凹部の底面に沿って排出口に向かって移動していき、排出口は凹部に連通されているので、排泄物は確実に排出口から排出される。また、横臥位のときは、一方側及び他方側の形成される凹部の側面のうちどちらか一方の側面に排泄物が移動して偏る。しかしながら、排出口は、一方側及び他方側に夫々１以上設けられているので、排泄物がどちら側に移動して偏っても、移動した側に設けられた排出口により吸引することができるので、そのため、従来に比較して、排泄物の排出が十分に行なわれる。そのため、排泄物の残留が防止され、悪臭や雑菌の発生を防止することができ、受け体を清潔に保つことができる。
【０００８】
そして、必要に応じ、上記一方側の排出口と他方側の排出口とを、上記中心線に対して対称位置に設けた構成としている。これにより、人体が横臥したとき、受け体の一方側及び他方側のどちら側が下側に位置しても、排泄物の排出が同条件で行なわれるようになる。
【０００９】
また、必要に応じ、上記受け体を、人体の股部の前側を覆う前側部と、後側を覆う後側部とを備えて略Ｕ字状に形成し、上記凹部を、上記前側部から上記後側部に亘って形成し、上記一方側及び他方側の少なくとも一対の排出口を、人体が仰臥したとき、つま先側に向けて開口するように上記受け体の後端部に設けた構成としている。これにより、排出口に接続された排出管が人体のつま先側に延びて接続されるようになるので、排出管が脚に衝突しにくくなり、そのため、排出管を邪魔になりにくくすることができる。
【００１０】
更に、必要に応じ、上記排出口の前位に、上記凹部の底面及び側面に連続する面を有し排泄物を集約して停留させるバッファ部を設けた構成としている。これにより、バッファ部で排泄物をある程度まとめることができるので、排出管に導きやすくなり、それだけ、排泄物を排出させやすくなる。また、このバッファ部は、凹部の底面及び側面に連続する面を有しているので、仰臥位及び横臥位において、排泄物がどの位置にあっても、凹部の底面及び側面に沿ってバッファ部に向かって移動しやすくなり、より確実に排泄物をバッファ部に集約することができ、そのため、排泄物の排出がより確実に行なわれる。
【００１１】
更にまた、必要に応じ、上記受け体に人体が横臥したとき該受け体の一方側及び他方側の上下位置を検知するセンサを設けるとともに、上記複数の排出管に夫々開閉バルブを設け、上記センサの検知に基づいて下側に位置した上記受け体の一方側または他方側の排出口に接続される排出管の開閉バルブを開にする制御部を設けた構成としている。これにより、人体が横臥したとき、排泄物は下側に位置した受け体の一方側または他方側の凹部の側面に移動するので、制御部によって、下側に位置した一方側または他方側の排出口に接続される排出管の開閉バルブを開にし、上側に位置した一方側または他方側の排出口に接続される排出管の開閉バルブを閉にして、下側に位置した排出管からのみ排泄物を排出する。そのため、排出物がない側の排出管での吸引を停止できるので、エアのみ吸引して人体に不快感を与える事態を防止することができる。
【００１２】
そして、また、必要に応じ、上記受け体に、該受け体の排出口へ向けて流体を噴射して排泄物を排出口へ導く噴射ガイドノズルを設けた構成としている。流体としては、空気や水などが用いられる。これにより、噴射ガイドノズルから噴射された流体により、排泄物が排出口へ押し込まれるようになるので、排出管に排泄物を導きやすくなり、それだけ、排泄物を排出しやすくなる。
【発明の効果】
【００１３】
本発明の排泄物自動処理装置によれば、仰臥位のときは、排泄物は凹部の底面に沿って排出口に向かって移動していき、排出口は凹部に連通されているので、排泄物は確実に排出口から排出される。また、横臥位のときは、一方側及び他方側の形成される凹部の側面のうちどちらか一方の側面に排泄物が移動して偏るが、排出口は一方側及び他方側に夫々１以上設けられているので、排泄物がどちら側に移動して偏っても、移動した側に設けられた排出口により吸引することができるので、そのため、従来に比較して、排泄物の排出が十分に行なわれる。そのため、排泄物の残留が防止され、悪臭や雑菌の発生を防止することができ、受け体を清潔に保つことができる。
【発明を実施するための最良の形態】
【００１４】
以下、添付図面に基づいて本発明の実施の形態に係る排泄物自動処理装置を説明する。尚、上記と同様のものには、同一の符号を付して説明する。
図１乃至図４には、本発明の実施の形態に係る排泄物自動処理装置Ｓを示している。本装置Ｓは、ベッド等で人体が仰臥若しくは横臥して使用するものであり、人体の股部に沿って装着され陰部と肛門とを覆って人体から排泄される排泄物Ｅを受ける凹部２を有した受け体１を備えている。この受け体１には、凹部２に連通し凹部２に受けられた排泄物Ｅを排出するための排出口１０が形成され、この排出口１０に排出管２０が接続されている。
【００１５】
受け体１は、樹脂などの可撓性部材で形成され、人体の股部の前側を覆う前側部３と、後側を覆う後側部４とを備えて略Ｕ字状に形成されている。この受け体１の内側に、前側部３から後側部４に亘って凹部２が形成され、外周が人体に当接し密着可能に形成されている。
【００１６】
この受け体１に形成される排出口１０は、受け体１の陰部側の前端部５と肛門側の後端部６とを結ぶ中心線７を境にした一方側８及び他方側９に、夫々１若しくは複数設けられ、一方側８の排出口１０と他方側９の排出口１０とが、中心線７に対して対称位置に設けられている。実施の形態では、夫々１つずつ設けられている。この一対の排出口１０は、人体が仰臥したとき、つま先側に向けて開口するように受け体１の後側部４の後端部６側に設けられている。
【００１７】
また、この一対の排出口１０の前位には、凹部２の底面２ａ及び側面２ｂに連続する面を有し排泄物Ｅを集約して停留させるバッファ部１１が設けられている。このバッファ部１１は、仰臥位のとき、つま先側に向けて受け体１から突出するように形成され、このバッファ部１１に一対の排出口１０が連通されている。
【００１８】
更に、受け体１の後端部６には、受け体１の排出口１０側へ向けてバッファ部１１の空間を通して流体としての水を噴射して排泄物Ｅを排出口１０へ導く噴射ガイドノズル１２が設けられている。
更にまた、前側部３及び後側部４の壁部には、陰部及び肛門に向けて水（温水）を噴射する洗浄ノズル１３が複数設けられている。
この噴射ガイドノズル１２及び洗浄ノズル１３は、配管を介して水を貯留した貯水タンク１４に接続されており、配管の途中には、噴射ガイドノズル１２及び洗浄ノズル１３に水（温水）を供給する送水ポンプ１５が設けられている。
【００１９】
排出管２０は、樹脂などの可撓性部材で形成されており、一端が排出口１０に接続され、他端が汚物タンク１６に接続されている。また、この排出管２０は、一対の排出口１０夫々に接続されており、この排出管２０に夫々開閉バルブ２１が設けられている。この開閉バルブ２１は、仰臥位のときは開になっている。
【００２０】
汚物タンク１６には、吸引ポンプ１７（真空ポンプ）が接続されており、この吸引ポンプ１７により、汚物タンク１６を介して凹部２内及び排出管２０内の排泄物Ｅを吸引して汚物タンク１６内に排泄物Ｅを排出可能にしている。
【００２１】
次に、本実施の形態に係る排泄物自動処理装置Ｓの制御系について説明する。図４に示すように、３０は、コンピュータのＣＰＵ等の機能によって各種の制御を行なう制御部である。
受け体１の前側部３には、人体が横臥したとき、受け体１の一方側８及び他方側９の上下位置を検知するセンサ３１が設けられている。このセンサ３１の検知に基づいて制御部３０が作動し、下側に位置した受け体１の一方側８または他方側９の排出口１０に接続される排出管２０の開閉バルブ２１を開にし、上側に位置した受け体１の一方側８または他方側９の排出口１０に接続される排出管２０の開閉バルブ２１を閉にする。また、人体が仰臥したときは、全ての排出管２０の開閉バルブ２１を開にする。
また、受け体１の後側部４には、排泄物Ｅの有無を検知する排泄物検知センサ３２が設けられている。この排泄物検知センサ３２の検知に基づいて制御部３０が作動し、送水ポンプ１５及び吸引ポンプ１７を後述する手順で駆動する。
【００２２】
従って、この実施の形態に係る排泄物自動処理装置Ｓによれば、以下のように作用をする。受け体１が人体の股部に装着された状態では、排泄物検知センサ３２が排泄物Ｅの有無を検知している。非排泄状態では、排泄物検知センサ３２が排泄物Ｅの無を検知しているので、装置Ｓは停止状態にある。
【００２３】
そして、人体が排泄物Ｅを排泄すると、排泄物検知センサ３２が排泄物Ｅの有を検知し、この検知に基づいて制御部３０が作動し、予め定めたタイミングで送水ポンプ１５及び吸引ポンプ１７が駆動する。先ず、例えば、洗浄ノズル１３が駆動して、ノズル１３から水が噴射され人体が洗浄されるとともに、この水によって排泄物Ｅがバッファ部１１の空間に集約されていく。この場合、バッファ部１１で排泄物Ｅをある程度まとめることができるので、排出管２０に導きやすくなり、それだけ、その後の排泄物Ｅの排出を容易にすることができる。
【００２４】
また、バッファ部１１には、図２及び図３に示すように、噴射ガイドノズル１２から排出口１０に向けて水が噴射されているので、排泄物Ｅが排出口１０に押されていき、排出管２０に入っていく。この場合、排泄物Ｅが排出口１０へ押し込まれるようになるので、排出管２０に排泄物Ｅを導きやすくなり、それだけ、その後の排出を容易にすることができる。
更にまた、吸引ポンプ１７が駆動し、この吸引によっても排泄物Ｅが排出管２０に入っていく。
【００２５】
このとき、人体が仰臥位のときは、受け体１の一方側８及び他方側９の排出口１０に接続された一対の排出管２０の開閉バルブ２１は、２つとも開になっており、排泄物Ｅは凹部２の底面２ａに沿って２つのバッファ部１１に向かって移動していき、バッファ部１１で一時的に停留させられた後、２つの排出管２０に入っていく。
また、人体が横臥位のときは、センサ３１が受け体１の一方側８及び他方側９の上下位置を検知し、この検知に基づいて制御部３０が作動し、下側に位置した一方側８または他方側９の排出口１０に接続される排出管２０の開閉バルブ２１を開にし、上側に位置した一方側８または他方側９の排出口１０に接続される排出管２０の開閉バルブ２１を閉にする。排泄物Ｅは、下側に位置した受け体１の一方側８または他方側９の凹部２の側面２ｂに移動して偏り、この側面２ｂに沿って、下側に位置した一方側８または他方側９のバッファ部１１に向かって移動していき、このバッファ部１１で一時的に停留させられた後、下側に位置した排出管２０に排泄物Ｅが入っていく。この場合、上側に位置した排出物Ｅがない側の排出管２０での吸引を停止できるので、エアのみ吸引して人体に不快感を与える事態を防止することができる。
【００２６】
即ち、バッファ部１１は凹部２の底面２ａ及び側面２ｂに連続する面を有しているので、仰臥位及び横臥位において、排泄物Ｅがどの位置にあっても、凹部２の底面２ａ及び側面２ｂに沿ってバッファ部１１に向かって移動しやすくなり、より確実に排泄物Ｅをバッファ部１１に集約することができる。そして、噴射ガイドノズル１２及び洗浄ノズル１３から噴射された水と、吸引ポンプ１７の吸引により、バッファ部１１に一時的に停留された排泄物Ｅを確実に排出管２０に押し込むことができる。また、センサ３１により、受け体１の一方側８と他方側９との上下位置を検知するので、排出の途中に人体の体位が変化しても、確実に下側に位置した排出管２０に排泄物Ｅが入っていく。
そして、排出管２０に入っていった排泄物Ｅは、吸引ポンプ１７の吸引により、汚物タンク１６内へと収容される。
【００２７】
本装置Ｓにおいては、排出口１０が一方側８及び他方側９に夫々１以上設けられているので、排泄物Ｅがどちら側に移動して偏っても、移動した側に設けられた排出口により吸引することができ、そのため、従来に比較して、排泄物Ｅの排出が十分に行なわれる。そのため、排出物Ｅの残留が防止され、悪臭や雑菌の発生を防止することができ、受け体１を清潔に保つことができる。また、排出管２０が人体のつま先側に延びて接続されるようになるので、排出管２０が脚に衝突しにくくなり、そのため、排出管２０を邪魔になりにくくすることができる。更に、一方側８の排出口１０と他方側９の排出口１０とを中心線７に対して対称位置に設けているので、人体が横臥したとき、受け体１の一方側８及び他方側９のどちら側が下側に位置しても、排泄物Ｅの排出が同条件で行なわれるようになる。
【００２８】
このようにして、受け体１の凹部２内の排泄物Ｅが排出されると、排泄物検知センサ３２が無を検知し、この検知に基づいて、制御部３０が停止して送水ポンプ１５及び吸引ポンプ１７の駆動を停止し、待機状態となる。
【００２９】
また、本装置Ｓを使用しないときは、受け体１を人体から取り外す。排出管２０に排泄物Ｅが僅かに残留している場合は、この非装着時に、受け体１に水を入れるなどしながら、吸引ポンプ１７を駆動する。これにより、排出管２０に僅かに残留した排泄物Ｅが水とともに汚水タンク１６に収容されていき、排出管２０内の洗浄を行なうことができる。
【００３０】
尚、上記実施の形態において、受け体１を上記の形状としたが、必ずしもこれに限定されるものではなく、適宜変更して差支えない。
【図面の簡単な説明】
【００３１】
【図１】本発明の実施の形態に係る排泄物自動処理装置の受け体を示す側面図である。
【図２】本発明の実施の形態に係る排泄物自動処理装置の受け体を示し、人体が仰臥位の状態を示す平面断面図である。
【図３】本発明の実施の形態に係る排泄物自動処理装置の受け体を示し、人体が横臥位の状態を示す平面断面図である。
【図４】本発明の実施の形態に係る排泄物自動処理装置を示す図である。
【図５】従来の排泄物自動処理装置の一例を示す図である。
【符号の説明】
【００３２】
Ｓ  排泄物自動処理装置
Ｅ  排泄物
１  受け体
２  凹部
２ａ  底面
２ｂ  側面
３  前側部
４  後側部
５  前端部
６  後端部
７  中心線
８  一方側
９  他方側
１０  排出口
１１  バッファ部
１２  噴射ガイドノズル
１３  洗浄ノズル
１４  貯水タンク
１５  送水ポンプ
１６  汚物タンク
１７  吸引ポンプ
２０  排出管
２１  開閉バルブ
３０  制御部
３１  センサ
３２  排泄物検知センサ
【図４】
2010012070.tif 000003
【図１】
2010012070.tif 000004
【図２】
2010012070.tif 000005
【図３】
2010012070.tif 000006
【図５】
2010012070.tif 000007